(57)【要約】【課題】充電端子や携帯機器の端子が磨耗し難い充電器を提供する。【解決手段】携帯機器を充電する充電器であって、ケースと、スライド部材と、回動部材と、充電端子を有する。スライド部材は、ケースに対して第１位置と第２位置の間でスライド可能であり、携帯機器が充電器に載置されていないときに第１位置に位置し、携帯機器が充電器に載置されているときに第２位置に位置する。回動部材は、ケースに対して第３位置と第４位置の間で回動可能であり、スライド部材が第１位置から第２位置にスライドする際にスライド部材によって押されることによって第３位置から第４位置に回動する。充電端子は、回動部材に接続されている。第３位置は、充電器に載置されたときの携帯機器の端子の位置から充電端子が離れる位置である。第４位置は、充電器に載置されたときの携帯機器の端子に対して充電端子が接触する位置である。【選択図】図１
2012139005.tif 000002
【特許請求の範囲】
【請求項１】
携帯機器のバッテリを充電する充電器であって、
ケースと、
ケースに対してスライド可能であり、第１位置と第２位置の間でスライド可能であり、携帯機器が充電器に載置されていないときに第１位置に位置し、携帯機器が充電器に載置されているときに第２位置に位置するスライド部材と、
ケースに対して回動可能であり、第３位置と第４位置の間で回動可能であり、スライド部材が第１位置から第２位置にスライドする際にスライド部材によって押されることによって第３位置から第４位置に回動する回動部材と、
回動部材に接続されている充電端子、
を有しており、
第３位置は、充電器に載置されたときの携帯機器の端子の位置から充電端子が離れる位置であり、
第４位置は、充電器に載置されたときの携帯機器の端子に対して充電端子が接触する位置である、
ことを特徴とする充電器。
【請求項２】
ケースに、開口が形成されており、
第１位置は、スライド部材が開口を塞ぐ位置であり、
第２位置は、スライド部材が開口を開放する位置であり、
回動部材は、ケースの内部に設置されており、
第３位置は、充電端子が開口から外側に突出しない位置であり、
第４位置は、充電端子が開口から外側に突出する位置である、
ことを特徴とする請求項１の充電器。
【請求項３】
携帯機器が充電器に載置されるときの携帯機器の移動方向と、回動部材が第４位置に移動するときの充電端子の移動方向との間の角度が９０度未満であることを特徴とする請求項１または２に記載の充電器。
【請求項４】
充電端子が、携帯機器の端子と面接触するように構成されていることを特徴とする請求項１〜３の何れか一項に記載の充電器。
【請求項５】
スライド部材と充電端子とが接触しないことを特徴とする請求項１〜４に記載の充電器。
【発明の詳細な説明】
【技術分野】
【０００１】
本発明は、携帯機器のバッテリを充電する充電器に関する。
【背景技術】
【０００２】
携帯型のＲＦＩＤリーダや携帯型のバーコードリーダ等の種々の携帯機器が知られている。このような携帯機器は、バッテリを有しており、バッテリからの電力により動作する。特許文献１には、携帯機器のバッテリを充電する充電器が開示されている。この充電器は、ケースと、スライド部材と、充電端子と、つるまきバネを備えている。ケースには、開口が形成されている。スライド部材は、ケースに対してスライドする。スライド部材は、開口を塞ぐ閉塞位置と、開口を開放する開放位置との間を移動する。充電端子とつるまきバネは、ケースの内部に固定されている。充電端子は、つるまきバネに接続されている。スライド部材が閉塞位置に位置している状態では、充電端子がスライド部材に当接されており、つるまきバネが充電端子をスライド部材に向けて付勢している。
【０００３】
この充電器では、携帯機器が、ケースの開口を覆う位置に載置される。この充電器に携帯機器を載置すると、スライド部材が閉塞位置から開放位置に移動する。スライド部材が開放位置に移動するとスライド部材が充電端子を支えなくなる。すると、つるまきバネの力によって、充電端子が開口から外側（携帯機器側）に向かって移動する。これによって、充電端子が携帯機器の端子（以下、機器側端子という）と接触し、携帯機器のバッテリが充電される。充電器から携帯機器を取り外すと、スライド部材が開放位置から閉塞位置に移動する。すると、スライド部材が充電端子に当接し、充電端子が元の位置に押し戻される。
【先行技術文献】
【特許文献】
【０００４】
【特許文献１】特開２００６−２１１８４４号
【発明の概要】
【発明が解決しようとする課題】
【０００５】
特許文献１の充電器では、充電器に携帯機器を載置する過程において、充電端子と機器側端子が摺動する。すなわち、携帯機器を載置する過程においては、スライド部材が開放位置側に移動するのに従って、つるまきバネの力が開放されて、充電端子が携帯機器と接触する位置に移動する。充電端子が機器側端子と接触した段階では、まだ、携帯機器は充電器によって安定して保持されていない。その位置からさらに携帯機器を下側に移動させると、携帯機器が充電器によって安定して保持される。すなわち、充電端子が機器側端子と接触してから、携帯機器が充電器によって安定して保持されるまでの間に、充電端子が機器側端子と接触している状態で携帯機器が移動する。したがって、この移動の間に、充電端子と機器側端子が摺動する。このとき、つるまきバネによって、充電端子は機器側端子に向かって押し付けられている。したがって、摺動時に強い摩擦力が生じ、充電端子と機器側端子が磨耗し易い。
【０００６】
このように、特許文献１の充電器では、充電端子と機器側端子とが強く押し付けられた状態で摺動する。このため、充電器を繰り返し使用している間に、充電端子や機器側端子が磨耗し、これらの接触不良が生じ易くなるという問題があった。
【０００７】
したがって、本明細書は、充電端子や携帯機器の端子が磨耗し難い充電器を提供する。
【課題を解決するための手段】
【０００８】
本明細書が開示する充電器は、携帯機器のバッテリを充電する。この充電器は、ケースと、スライド部材と、回動部材と、充電端子を有している。スライド部材は、ケースに対してスライド可能であり、第１位置と第２位置の間でスライド可能であり、携帯機器が充電器に載置されていないときに第１位置に位置し、携帯機器が充電器に載置されているときに第２位置に位置する。回動部材は、ケースに対して回動可能であり、第３位置と第４位置の間で回動可能であり、スライド部材が第１位置から第２位置にスライドする際にスライド部材によって押されることによって第３位置から第４位置に回動する。充電端子は、回動部材に接続されている。第３位置は、充電器に載置されたときの携帯機器の端子の位置から充電端子が離れる位置である。第４位置は、充電器に載置されたときの携帯機器の端子に対して充電端子が接触する位置である。
【０００９】
この充電器に携帯機器を載置する過程においては、スライド部材が第１位置から第２位置に向かって徐々に移動するとともに、そのスライド部材に押されることによって回動部材が第３位置から第４位置に向かって徐々に回動する。これによって、回動部材に接続された充電端子が機器側端子と接触する。回動部材は、スライド部材に押されることによってスライド部材の移動に応じて徐々に第４位置に向かって移動する。このため、充電端子が機器側端子と接触した段階では、充電端子は機器側端子に向かって強く押し付けられていない。その後、携帯機器は、充電器で安定して保持される位置まで移動される。この移動の間に、充電端子と機器側端子が摺動する。しかしながら、少なくとも摺動の開始時において充電端子が機器側端子に向かって強く押し付けられていないので、これらの磨耗を抑制することができる。
【００１０】
上述した充電器は、ケースに開口が形成されており、第１位置はスライド部材が開口を塞ぐ位置であり、第２位置はスライド部材が開口を開放する位置であり、回動部材はケースの内部に設置されており、第３位置は、充電端子が開口から外側に突出しない位置であり、第４位置は、充電端子が開口から外側に突出する位置であることが好ましい。
【００１１】
このような構成によれば、充電器に携帯機器が載置されていない場合に、充電端子が開口内に収容されているとともに、開口がスライド部材で塞がれる。このため、充電器を使用していない間に、充電端子にホコリ等が付着することを抑制することができる。
【００１２】
上述した充電器は、携帯機器が充電器に載置されるときの携帯機器の移動方向と、回動部材が第４位置に移動するときの充電端子の移動方向との間の角度が９０度未満であることが好ましい。
【００１３】
このような構成によれば、充電端子が機器側端子に接触するときの充電端子の移動方向と機器側端子の移動方向が近似するので、これらが摺動する距離が短くなる。したがって、充電端子と機器側端子の磨耗をより抑制することができる。
【００１４】
上述した充電器は、充電端子が、携帯機器の端子と面接触するように構成されていることが好ましい。
【００１５】
このような構成によれば、充電端子と機器側端子とをより確実に導通させることができる。
【００１６】
上述した充電器は、スライド部材と充電端子とが接触しないことが好ましい。
【００１７】
このような構成によれば、スライド部材との摺動による充電端子の磨耗を防止することができる。
【図面の簡単な説明】
【００１８】
【図１】充電器１０の概略断面図。
【図２】充電器１０の概略断面図。
【図３】充電器１０の概略断面図。
【図４】充電器１０の概略断面図。
【図５】回動部材３０と捻りコイルバネ４０の斜視図。
【図６】図３の接点部分の拡大図。
【発明を実施するための形態】
【００１９】
以下に、実施例に係る充電器の特徴を列記する。
（特徴１）回動部材を第４位置から第３位置に向かう向きに付勢する付勢部材を有する。
（特徴２）スライド部材を第２位置から第１位置に向かう向きに付勢する付勢部材を有する。
【実施例】
【００２０】
図１に示すように、充電器１０には、携帯端末８０が載置される。携帯端末８０は、例えば、携帯型のＲＦＩＤリーダであり、無線通信によりＲＦＩＤタグから情報を読み出す。携帯端末８０は、バッテリを内蔵している。携帯端末８０の下端部の背面には、一対の端子８２が形成されている。なお、図１の視点では一対の端子８２が重なるので、図１では一対の端子８２のうちの手前側の端子のみが示されている。充電器１０は、端子８２を通じて、携帯端末８０のバッテリを充電する。図示するように、充電器１０は、ケース１２と、スライドカバー２０と、回動部材３０と、捻りコイルバネ４０と、一対の充電端子５０を備えている。
【００２１】
ケース１２は、内部に空間１２ａが形成された中空構造を備えている。ケース１２の上面には、凹部１４が形成されている。凹部１４には、携帯端末８０が載置される。凹部１４は、載置された携帯端末８０を安定して保持することができる形状に形成されている。凹部１４の１つの側面１４ａには、開口１６が形成されている。開口１６によって、ケース１２の内部の空間１２ａと外部の空間とが連通されている。凹部１４の底面１４ｂには、側面１４ａの延長線に沿って伸びる凹部１８が形成されている。凹部１４の側面１４ａと凹部１８の側面１８ａは、同一平面上に形成されている。
【００２２】
スライドカバー２０は、略平板状の部材である。スライドカバー２０は、下端部が凹部１８内に挿入されている。凹部１８内には、コイルバネ２８が圧縮された状態で設置されている。図示していないが、ケース１２には、スライドカバー２０を案内するガイドが形成されている。スライドカバー２０は、ガイドに案内されることによって、ケース１２に対して上下に移動することができる。充電器１０に携帯端末８０が載置されていない状態では、スライドカバー２０は、コイルバネ２８によって上向きに付勢されており、図１に示す開口１６を塞ぐ位置に配置されている。充電器１０に携帯端末８０が載置されると、図４に示すように、スライドカバー２０が下側（凹部１８内）に移動して、コイルバネ２８が圧縮される。携帯端末８０が充電器１０から持ち上げられると、コイルバネ２８が伸びて、スライドカバー２０が図１に示す位置に戻る。また、スライドカバー２０の裏面（ケース１２の内部の空間１２ａ側の面）には、凸部２２が形成されている。凸部２２は、開口１６を通ってケース１２の内部の空間１２ａ内に伸びている。
【００２３】
回動部材３０と捻りコイルバネ４０と充電端子５０は、ケース１２の内部の空間１２ａ内に配置されている。ケース１２の内部の空間１２ａ内には、支持軸３８が設置されている。支持軸３８は、図１の紙面に対して垂直方向に伸びている。回動部材３０は、支持軸３８に回動可能に取り付けられている。図５、６に示すように、回動部材３０は、支持軸３８が挿入されている２つの筒部３２と、筒部３２から上方向に伸びる第１板部３４と、筒部３２から横方向（開口１６側）に伸びる第２板部３６を有している。支持軸３８を中心として、回動部材３０の全体がケース１２に対して回動することができる。
【００２４】
図５、６に示すように、捻りコイルバネ４０は、ワイヤが螺旋状に巻回されたコイル部４２と、コイル部４２からワイヤが線状に伸びているアーム部４４、４６を備えている。コイル部４２は、回動部材３０の２つの筒部３２の間に配置されている。コイル部４２の中心には、支持軸３８が挿入されている。アーム部４４は、回動部材３０の第１板部３４の下面側に位置している。アーム部４４の先端は、折り曲げられてケース１２に固定されている。アーム部４６は、回動部材３０の第２板部３６の下面に接している。アーム部４６は、回動部材３０の第２板部３６に対して、図１の矢印１００に示す向きにトルクを加える。したがって、図１に示す状態では、第１板部３４がアーム部４４と当接した状態で回動部材３０が停止している。
【００２５】
図１に示すように、一対の充電端子５０は、回動部材３０の第１板部３４の上面に固定されている。なお、図１の視点では一対の充電端子５０が重なるため、図１では手前側の充電端子５０のみが示されている。図示していないが、充電端子５０は、充電器１０の充電回路（図示省略）に電気的に接続されている。充電端子５０は、回動部材３０が回動することによって、開口１６から外側に突出しない位置（すなわち、図１に示す位置）と、開口１６から外側に突出する位置（すなわち、図４に示す位置（図４に示す充電端子５０は、携帯端末８０が存在していなかった場合には開口１６から外側に突出する））との間を移動する。なお、図４に示すように、充電器１０に携帯端末８０が載置されると、開口１６の外側に携帯端末８０の端子８２が位置する。すなわち、充電端子５０は、回動部材３０が回動することによって、充電器１０に携帯端末８０が載置されたときの端子８２の位置から離れる位置（すなわち、図１に示す位置）と、端子８２と接触する位置（すなわち、図４に示す位置）との間を移動する。なお、図４に示す状態において、充電端子５０は端子８２と面接触する。
【００２６】
次に、充電器１０に携帯端末８０を載置する際の各部の動きについて説明する。図１に示す状態から携帯端末８０を下側に移動させて、携帯端末８０を凹部１４内に進入させると、携帯端末８０の底面が、スライドカバー２０の上端と接触する。さらに携帯端末８０を下側に移動させると、スライドカバー２０が携帯端末８０によって押し下げられる。図２に示す位置までスライドカバー２０が移動すると、スライドカバー２０の凸部２２が回動部材３０の第２板部３６と接触する。図２に示す位置からさらにスライドカバー２０を下側に移動させると、スライドカバー２０の凸部２２が回動部材３０の第２板部３６を押し下げる。このため、捻りコイルバネ４０のトルクに逆らって、回動部材３０が図２の矢印１０２に示す向きに徐々に回動する。このように回動部材３０が回動することで、充電端子５０が開口１６側に向かって徐々に移動する。図２に示すように、開口１６のスライドカバー２０に覆われていない領域は携帯端末８０に覆われているので、充電端子５０は携帯端末８０に向かって徐々に移動する。その結果、図３に示すように、充電端子５０が、開口１６を覆っている携帯端末８０と接触する。このとき、充電器１０の充電端子５０は、携帯端末８０の端子８２と接触する。上述したように、充電端子５０は、スライドカバー２０の移動に伴って徐々に回動する。したがって、充電端子５０が端子８２と接触した段階では、充電端子５０は端子８２に対して押し付けられていない。図３に示す位置から図４に示す位置まで微小距離だけ携帯端末８０を下側に移動させると、携帯端末８０が充電器１０によって安定して保持される。また、スライドカバー２０が図３に示す位置から図４に示す位置に移動する間に、回動部材３０は微小角度だけ図３の矢印１０２に示す向きに回動する。これによって、充電端子５０が端子８２に向けて付勢される。すなわち、図３に示す接触し始めの段階では充電端子５０は端子８２に向けて押し付けられておらず、図３に示す状態から図４に示す状態になるまでの間に充電端子５０を端子８２に向けて付勢する力が徐々に増大する。これによって、充電端子５０と端子８２の間での確実な接続が確保される。これによって、携帯端末８０のバッテリに確実に電力が供給され、バッテリが充電される。携帯端末８０が図３に示す位置から図４に示す位置に移動する際には、充電端子５０と端子８２が互いに接触した状態で、これらが相対移動する。すなわち、充電端子５０が端子８２と摺動する。しかしながら、図３に示す接触し始めの段階では充電端子５０が端子８２に向けて押し付けられていないので、この接触し始めの段階においてはこれらの間に生じる摩擦力が低減される。これによって、充電端子５０と端子８２の磨耗が、従来の充電器よりも抑制される。
【００２７】
次に、充電器１０から携帯端末８０を取り外す際の各部の動きについて説明する。図４に示す状態から携帯端末８０を上側に移動させると、コイルバネ２８の付勢力によってスライドカバー２０が上側に移動する。また、スライドカバー２０が上側に移動するに従って、捻りコイルバネ４０の付勢力によって回動部材３０が図４の矢印１００に示す向きに徐々に回動する。図４に示す状態から図３に示す状態になった段階で、充電端子５０が端子８２から離れる。すなわち、携帯端末８０が図４に示す位置から図３に示す位置に移動する間に、充電端子５０と端子８２が互いに接触した状態で、これらが互いに相対移動する。すなわち、充電端子５０が端子８２と摺動する。しかしながら、図４に示す位置から図３に示す位置に移動する間に、回動部材３０が徐々に矢印１００に示す向きに回動するので、充電端子５０を端子８２に向けて付勢する力が徐々に減少する。したがって、摺動時における摩擦力が低減される。これによって、充電端子５０と端子８２の磨耗が、従来の充電器よりも抑制される。図３に示す位置からさらに携帯端末８０を上方に向かって移動させると、図１に示すように、スライドカバー２０と回動部材３０が元の位置に戻る。
【００２８】
以上に説明したように、実施例の充電器は、携帯機器と共に移動するスライド部材に押されることによって回動部材が回動し、これによって、回動部材に接続されている充電端子が携帯機器の端子と接触しない位置から接触する位置に移動する。したがって、充電器の充電端子と携帯機器の端子とが摺動する際における摩擦力が低減され、これらの端子の磨耗が抑制される。また、実施例の充電器では、付勢部材（すなわち、捻りコイルバネ）によって回動部材が携帯機器の端子と接触しない位置側に向かって付勢されている。このため、携帯機器を充電器から取り外す際に、充電器の充電端子が携帯機器の端子に向かって付勢される力がスライド部材の移動に伴って徐々に減少する。これによって、携帯機器を取り外す際においても、充電器の充電端子と携帯機器の端子とが摺動する際における摩擦力が低減され、これらの端子の磨耗が抑制される。
【００２９】
また、図６は、図３の接点部分の拡大図を示している。図６の矢印１０４は、携帯機器を充電端子に載置する過程において充電器の充電端子５０が携帯機器の端子８２に接触するときの充電端子５０の接点部分の移動方向を示している。また、図６の矢印１０６は携帯機器を充電端子に載置するときの携帯機器の移動方向を示している。図示するように、これらの移動方向の間の角度θ１が、９０度未満である。したがって、移動方向が逆方向（角度θ１が９０度以上）である場合等に比べて、充電器の充電端子５０が携帯機器の端子８２と摺動する距離が短くなる。これによっても、端子の磨耗が抑制される。
【００３０】
また、この充電器では、充電端子がケースの内部の空間に設置されており、携帯機器が載置されていない間は開口がスライドカバーによって開閉される。したがって、充電端子にホコリ等の異物が付着することが抑制される。また、この充電器では、スライドカバーと充電端子とが接触しないので、スライドカバーと充電端子との間の摺動による磨耗が生じない。
【００３１】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３２】
１０：充電器
１２：ケース
１４：凹部
１６：開口
２０：スライドカバー
２８：コイルバネ
３０：回動部材
３８：支持軸
４０：捻りコイルバネ
５０：充電端子
８０：携帯端末
８２：充電端子
【図１】
2012139005.tif 000003
【図２】
2012139005.tif 000004
【図３】
2012139005.tif 000005
【図４】
2012139005.tif 000006
【図５】
2012139005.tif 000007
【図６】
2012139005.tif 000008